(57)【要約】【課題】アクリル製の家具や装飾材料の厚さを任意にすることができ、生産コストが従来のものの約１０％になり、負荷がより高い家具や装飾材料へも適用可能であり、完成品の重量が更に軽くなる建物や家具構築用アクリル使用材料を提供する。【解決手段】本考案は、硬質材料で構成された充填具２０と、前記充填具２０の表面に設けられ、その端縁が接合エッジ３１に成形され、且つ隣接の同士が接合エッジ３１にて互いに当接する複数のアクリル板３０と、これらのアクリル板３０の表面に塗装される硬化塗装層４０と、前記アクリル板３０の接合エッジ３１に塗布されるアクリル接合剤５０とを含むことを特徴とする。【選択図】図２
0003139766.tif 000002
【実用新案登録請求の範囲】
【請求項１】
硬質材料で構成された充填具と、前記充填具の表面に設けられ、その端縁が接合エッジに成形され、且つ隣接の同士が接合エッジにて互いに当接する複数のアクリル板と、これらのアクリル板の表面に塗装される硬化塗装層と、前記アクリル板の接合エッジに塗布されるアクリル接合剤とを含むことを特徴とする、建物や家具構築用アクリル使用材料。
【請求項２】
前記充填具は木材であることを特徴とする、請求項１に記載の建物や家具構築用アクリル使用材料。
【請求項３】
前記アクリル板の厚さは、０．５ｍｍ〜７０ｍｍの範囲にされることを特徴とする、請求項１に記載の建物や家具構築用アクリル使用材料。
【請求項４】
前記アクリル接合剤は2塩化メチルであることを特徴とする、請求項１に記載の建物や家具構築用アクリル使用材料。
【請求項５】
前記硬化塗装層は、シリコンゴム、またはエポキシ樹脂であることを特徴とする、請求項１に記載の建物や家具構築用アクリル使用材料。
【考案の詳細な説明】
【技術分野】
【０００１】
本考案は、家具や建物を構築する材料に係り、特に、表面が硬化されたアクリル使用材料に関するものである。
【背景技術】
【０００２】
目下、国民が簡潔なリビングスタイルを追求するために、室内の装飾が簡素および簡単にされ、また、現代感覚を表現するために、流線型な外観と、機能性とを有する家具および装飾材料が快速に伝統的なものを取り替えており、すなわち、欧米なスタイルを有する家具および装飾材料が世界に普及している。また、アクリル使用の家具や建物などの構成材料は、材料の可塑性が極めて良く、そして製造プロセスにおいて各顔色の着色剤を添加すると完成品を色々な顔色にすることができ、だから、家具や建物などの構成材料は大量にアクリル使用なものを使用するようになる。
【考案の開示】
【考案が解決しようとする課題】
【０００３】
しかしながら、これは次のような欠点があった。
（１）アクリル製の完成品の厚さを厚くすることができないので、負荷が小さい家具（例えばコンパクトディスク収納ケースなど）だけに適用可能であり、その原因は、現在のアクリル成形方法によれば、成形の厚さが１００ｍｍよりも厚いと、重合時間は２０日以上掛かられ、生産工数が長くなり生産コストが増加する。また、アクリルの成形の厚さが厚すぎると、重合工程において表面と中心との乾燥速度の差が大きすぎるので、完成品の表面に皺や窪みが発生し易い。
【０００４】
（２）現在のアクリル成形技術は流し込み法を採用するので、完成品の体積よりも多い原料を流し込まないと、理想な完成品を得ることができないが、そうすると原料のコストが膨大になる。
【０００５】
（３）流し込み法を採用するアクリル成形技術によって得られるものは、重量が極めて重いので、大型な家具の作製への適用は不向きである。
【０００６】
（４）アクリルによってより薄いものを作製する場合には、完成品の受け可能な負荷が小さくて、完成品が割れ易いので、より大きい負荷を受ける家具や装飾材料への適用はできない。
【課題を解決するための手段】
【０００７】
上記欠点を解決するためになされた本願の考案は、硬質材料で構成された充填具と、前記充填具の表面に設けられ、その端縁が接合エッジに成形され、且つ隣接の同士が接合エッジにて互いに当接する複数のアクリル板と、これらのアクリル板の表面に塗装される硬化塗装層と、前記アクリル板の接合エッジに塗布されるアクリル接合剤とを含むことを特徴とする、建物や家具構築用アクリル使用材料であることを要旨としている。
【０００８】
本願の考案では、前記充填具は木材であることを特徴とする、請求項１に記載の建物や家具構築用アクリル使用材料であることを要旨としている。
【０００９】
本願の考案では、前記アクリル板の厚さは０．５ｍｍ〜７０ｍｍの範囲にされることを特徴とする、請求項１に記載の建物や家具構築用アクリル使用材料であることを要旨としている。
【００１０】
本願の考案では、前記アクリル接合剤は2塩化メチル（DICHLOROMETHANE）であることを特徴とする、請求項１に記載の建物や家具構築用アクリル使用材料であることを要旨としている。
【００１１】
本願の考案では、前記硬化塗装層はシリコンゴムでもいいし、エポキシ樹脂でもよいことを特徴とする、請求項１に記載の建物や家具構築用アクリル使用材料であることを要旨としている。
【考案の効果】
【００１２】
本考案の建物や家具構築用アクリル使用材料によれば、次のような効果がある。
（１）アクリル製の家具や装飾材料の厚さを任意にすることができる。
【００１３】
（２）同じ寸法のものを作製する場合には、本考案によれば、生産コストが従来の流し込み法を採用するアクリル成形技術の約１０％になる。
【００１４】
（３）表面が硬化されたアクリル板は表面の強度が高くなるので、負荷がより高い家具や装飾材料へも適用可能である。
【００１５】
（４）完成品の重量が軽くなるので、ユーザは容易に完成品を移動可能である。
【００１６】
（５）充填具はリサイクル材料を使用することができるので、完成品が環境に優しい。
【考案を実施するための最良の形態】
【００１７】
以下、添付図面を参照して本考案の好適な実施の形態を詳細に説明する。
【００１８】
本考案の建物や家具構築用アクリル使用材料は、図２及び図３に示すように、充填具２０と、複数のアクリル板３０と、硬化塗装層４０と、アクリル接合剤５０とを含む。
【００１９】
前記充填具２０は、硬質材料（例えば中実な木材、又は比重がアクリル（アクリルの比重が１．２）よりも小さいもの）で構成される。
【００２０】
前記アクリル板３０は、表面に硬化塗装層４０が塗布してあり、前記硬化塗装層４０はシリコンゴムでもいいし、エポキシ樹脂でもよく、これらの塗料をアクリル板３０の表面に均一に塗布して乾燥すると硬化塗装層４０が前記アクリル板３０の表面に形成され、且つアクリル板３０は充填具２０の表面に設けられ、その端縁が接合エッジ３１に成形され、且つ隣接するアクリル板３０同士が接合エッジ３１にて互いに当接し、且つ前記各アクリル板３０の厚さは０．５ｍｍ〜７０ｍｍの範囲にされる。
【００２１】
前記アクリル接合剤４０はアクリル板３０の接合エッジ３１に塗布され、アクリル接合剤４０により隣接するアクリル板３０同士が接着されて一体になり、且つ前記アクリル接合剤４０は2塩化メチル（DICHLOROMETHANE）である。
【００２２】
また、図４に示すように、本考案は各種類の家具や装飾材料に適用可能であり、各種類の加工の要求に応じて、充填具２０は中実な木材などの硬質材料の他に、木材の削り屑を予定の形状に圧縮成形して構成される複合材を使用してもよく、複合材を使用する場合には、アクリル板３０を充填具２０の表面形状に合う輪郭にして、各アクリル板３０の端縁に接合エッジ３１を成形して、前記接合エッジ３１にアクリル接合剤４０を塗布して、アクリル板３０同士を緊密に粘着すると、前記充填具２０がアクリル板３０に完全に覆われるようになる。
【図面の簡単な説明】
【００２３】
【図１】従来のアクリル製家具材料の断面図
【図２】本考案のアクリル製家具材料の構成を示す断面図
【図３】本考案の実施例のアクリル製家具材料の断面図
【図４】本考案の実施例のアクリル製家具材料が椅子に適用された状態の概略図
【図５】本考案の実施例のアクリル製家具材料が椅子に適用された状態の椅子の一部の拡大断面図
【符号の説明】
【００２４】
２０      充填具
３０      アクリル板
３１      接合エッジ
４０      硬化塗装層
５０      アクリル接合剤
【図１】
0003139766.tif 000003
【図２】
0003139766.tif 000004
【図３】
0003139766.tif 000005
【図４】
0003139766.tif 000006
【図５】
0003139766.tif 000007